(57)【要約】【課題】製造が容易であると共に、装着の際に端部が捲れることを防止できる補整用衣類を提供する。【解決手段】伸縮性を有する布地により筒状体１０を形成し、腹部に装着することで腹部及び脇腹の周囲を支持する補整用衣類１であって、筒状体１０は、筒状体１０の上端から下端まで軸方向に延び、かつ筒状体を構成する布地の弾性よりも大きい弾性を有する樹脂又はゴム材料が塗布された塗布部２２を有する。【選択図】図１
0003192607.tif 000002
【実用新案登録請求の範囲】
【請求項１】
伸縮性を有する布地により筒状体を形成し、腹部に装着することで腹部及び脇腹の周囲を支持する補整用衣類であって、
前記筒状体は、該筒状体の上端から下端まで軸方向に延び、かつ該筒状体を構成する前記布地の弾性よりも大きい弾性を有する樹脂又はゴム材料が塗布された塗布部を有することを特徴とする補整用衣類。
【請求項２】
前記筒状体は、前記布地の周方向の端部同士を上端から下端にかけて縫製した縫製部を有し、
前記塗布部は、前記縫製部に形成されることを特徴とする請求項１に記載の補整用衣類。
【請求項３】
前記縫製部は、前記布地の周方向の端部同士を帯状部材と共に縫製して構成され、前記塗布部は、前記帯状部材上に形成されることを特徴とする請求項２に記載の補整用衣類。
【考案の詳細な説明】
【技術分野】
【０００１】
本考案は、伸縮自在な布地で筒状体を形成し、腹部に装着することで腹部及び脇腹の周囲を支持する補整用衣類に関する。
【背景技術】
【０００２】
従来、腹部及び脇腹の周囲に装着される補整用衣類として、例えば、特許文献１に示すような補整着が知られている。この補整着は、筒状に形成された補整着を着用することによって、腹筋を鍛えることでシェイプアップを図るものである。しかし、この種の筒状の補整着は、着用した状態で身体の曲げ伸ばしを行うと、補整着の上下端部が、中央に向けて移動し、端部が捲れてしまうという問題がある。そのため、特許文献１の補整着においては、脊柱と平行をなす二本のコイル状の補整杆を具備している。
【０００３】
このような補整杆は、例えば、コルセットやウエストニッパー等においても、ボーンとして身体の形状を維持するために使用されている。ボーンは、一般的には、金属や硬質のプラスチック等が用いられるため、補整用衣類の生地が厚くなり、着用時に不快感があったり、運動時には着用できないといった問題があった。そこで、腰部保護用衣類において、例えばエラストマー樹脂のような保護ボーンを用いることが提案されている（特許文献２）。
【先行技術文献】
【特許文献】
【０００４】
【特許文献１】実用新案登録第３１７９９１８号公報
【特許文献２】特開平０７−０８８２１８号公報
【考案の概要】
【考案が解決しようとする課題】
【０００５】
ところで、上記の補整着や腰部保護用衣類等の補整用衣類は、基材となる布地を縫製することで製造されるが、補整杆やボーン等を用いる際には、縫製等によって装着する必要がある。そのため、補整用衣類の製造時に、別途補整杆やボーンとなる部材を準備し、補整用衣類の製造時の途中にこれらの部材を取付ける工程が必要となる。特許文献１においては、シェイパーの生地に袋状部を形成してコイル状の補整杆を封入している。また、特許文献２においては、補助ボーンを、腰部保護用部材の表布と裏布の間に配置して、帯状物と共に裏布に縫製している。このように、補整用衣類に補整杆や補助ボーンを取付けるためには、補整用衣類の製造時の縫製に加えて、さらに縫製を行う必要があり、補整用衣類の製造に手間がかかっていた。
【０００６】
そこで、本考案においては、製造が容易であると共に、装着の際に端部が捲れることを防止できる補整用衣類を提供することを技術的課題とする。
【課題を解決するための手段】
【０００７】
上記課題を解決するために、本考案の補整用衣類は、伸縮性を有する布地により筒状体を形成し、腹部に装着することで腹部及び脇腹の周囲を支持する補整用衣類であって、筒状体は、筒状体の上端から下端まで軸方向に延び、かつ筒状体を構成する布地の弾性よりも大きい弾性を有する樹脂又はゴム材料が塗布された塗布部を有することを特徴とする。
【０００８】
このような構成によれば、筒状体の上端から下端まで軸方向に延び、かつ筒状体を構成する布地の弾性よりも大きい弾性を有する樹脂又はゴム材料が塗布されている塗布部を有するため、補整用衣類を装用した状態であっても、塗布部に塗布された樹脂又はゴム材料の弾性によって、筒状体の上辺側又は下辺側が捲れることを防止することができる。このとき、塗布部は、弾性を有する樹脂又はゴム材料を塗布することによって形成されるため、補整杆やボーンを縫製によって取付ける必要がない。そのため、補整用衣類を容易に製造することができる。
【０００９】
また、筒状体は、布地の周方向の端部同士を上端から下端にかけて縫製した縫製部を有し、塗布部は、縫製部に形成されることが好ましい。ここで、縫製部は、布地の周方向の端部同士を突き合わせた状態、又は重ねた状態で上端から下端にかけて縫製されることで形成される。このとき、縫製部においては、縫製するための糸や布地の重なりによって、布地の弾性が大きくなる。そのため、縫製部に樹脂又はゴム材料が塗布された塗布部が形成されることによって、塗布部における弾性をより大きくすることができる。これによって、補整用衣類を装着した状態における筒状体の端部の捲れを、確実に防止することができる。
【００１０】
また、縫製部は、布地の周方向の端部同士を帯状部材と共に縫製して構成され、塗布部は、帯状部材上に形成されるようにしてもよい。これによって、縫製部においては、布地の周方向の端部同士と帯状部材とが共に縫製されるため、厚み寸法が他よりも厚くなる。この状態で、帯状部材上に樹脂又はゴム材料が塗布される塗布部が形成されるため、縫製部における弾性がより増加する。そのため、補整用衣類を装着した状態における筒状体の端部の捲れを、より確実に防止することができる。
【００１１】
以上のように、本考案によれば、製造が容易であると共に、装着の際に端部が捲れることを防止できる補整用衣類を提供することが可能となる。
【図面の簡単な説明】
【００１２】
【図１】本考案の一実施形態にかかる補整用衣類の正面図である。
【図２】図１に示す補整用衣類の側面図である。
【図３】図２における縫製部及び下端を示す要部拡大図である。
【図４】図１に示す補整用衣類の装着状態を示す斜視図である。
【考案を実施するための形態】
【００１３】
以下、本考案にかかる補整用衣類の一実施形態を図面に基づいて説明する。
【００１４】
本考案にかかる補整用衣類１は、腹部に装着することで腹部及び脇腹の周囲を支持するものであって、布地により筒状体１０が形成される。また、図１に示すように、筒状体１０は、布地の周方向の端部同士が、上端から下端にかけて縫製部２０で縫製される。なお、図１においては、縫製部２０を明確に示すために、縫製部２０の位置をずらした状態を示している。
【００１５】
筒状体１０を形成する布地は、例えば、ポリウレタン等の伸縮性を有する素材で形成される。本実施形態においては、筒状体１０は、前部１１及び後部１２の布地を縫製（詳細は後述）することで形成される。前部１１の布地は、図示のように、上辺１１ａ及び下辺１１ｂが、中央に向かって凹となるような凹曲率を有し、後部１２の布地は、上辺１２ａ及び下辺１２ｂが、外側に向かって凸となる凸曲率を有する。ここで、後部１２の布地は、上辺１２ａよりも下辺１２ｂがより凸となるような凸曲率を有する。これによって、図２に示すように、前部１１よりも後部１２の布地の方が、筒状体１０の軸方向に長尺となる。また、本実施形態においては、前部１１の布地は、縦方向よりも横方向への引っ張り力に対する強度が強く、後部１２の布地は、横方向よりも縦方向に対する引っ張り力に対する強度が強い。
【００１６】
筒状体１０は、前部１１及び後部１２の各布地の周方向の端部同士を、上端から下端にかけてそれぞれ縫製される（図１に縫製部２０で示す）。また、図３に示すように、縫製部２０においては、布地の周方向の端部同士が、帯状部材２１と共に縫製される。ここで、帯状部材２１は、例えばストレッチテープ等と呼ばれる、伸縮性を有する幅狭の部材である。詳しくは、縫製部２０においては、前部１１の布地及び後部１２の布地を、それぞれの端部を折り返して重ね合せ、その状態で、帯状部材２１と共に縫い付けられる。このとき、前部１１及び後部１２の各布地の端部は、帯状部材２１の幅方向の両端に縫い付けられる。このようにして、筒状体１０が形成される。
【００１７】
帯状部材２１は、本実施形態においては、布地の弾性よりも大きい弾性を有する樹脂が塗布された塗布部２２を有する。塗布部２２は、縫製部２０の帯状部材２１の中央に形成される。また、塗布部２２に塗布される樹脂は、例えば、ウレタンゴムやシリコーンゴム等のような弾性を有する樹脂やゴム材料が好ましい。なお、塗布部２２は、前部１１及び後部１２の各布地と帯状部材２１とを縫製した後に、樹脂が塗布されることで形成されてもよく、予め帯状部材２１に塗布されていてもよい。また、帯状部材２１は、弾性を有する部材で形成されていてもよい。
【００１８】
筒状体１０を構成する前部１１及び後部１２の各布地の上辺１１ａ、１２ａ及び下辺１１ｂ、１２ｂには、伸縮性を有する幅狭の端部帯状部材３０が縫い付けられる。本実施形態においては、端部帯状部材３０は、一辺側に装飾が形成される装飾部３１を有している（図３参照）。端部帯状部材３０は、筒状体１０を構成する前部１１及び後部１２の各布地の上辺１１ａ、１２ａ又は下辺１１ｂ、１２ｂの端部を折り返して、その状態で、端部帯状部材３０が縫い付けられる。なお、図３は筒状体１０の下辺１１ｂ、１２ｂ側の図を示すが、上辺１１ａ、１２ａ側においても同様である。
【００１９】
このように、本実施形態における補整用衣類１は、前部１１及び後部１２の各布地を、帯状部材２１と共に縫製することで筒状に形成され、上辺１１ａ、１２ａ及び下辺１１ｂ、１２ｂの端部に端部帯状部材３０を縫い付けることで製造される。このとき、帯状部材２１は、布地の弾性よりも大きい弾性を有する樹脂が塗布される塗布部２２を有する。ここで、帯状部材２１及び端部帯状部材３０は、通常の補整用衣類１の製造工程においても用いられるため、本考案の補整用衣類１の製造に際して、新たな縫製や、追加部材を取付ける等の工程は不要である。そのため、本考案の補整用衣類１を容易に製造することができる。
【００２０】
続いて、本実施形態における補整用衣類１の装着方法について説明する。補整用衣類１は、図４に示すように、軸方向に短尺な前部１１が腹部側に位置し、前部１１よりも軸方向に長尺な後部１２が背中側に位置するように装着する。このとき、縫製部２０は、左右の脇腹に位置する。このように装着することで、補整用衣類１は、装着者の腹部及び脇腹の周囲を支持することができる。
【００２１】
ここで、本実施形態においては、補整用衣類１の筒状体１０を構成する前部１１は、後部１２よりも短尺であり、横方向の引っ張り力に対する強度が強い布地を用いている。そのため、補整用衣類１を装着した状態で身体を曲げ伸ばしした際にも、補整用衣類１が弛むことなく、身体に密着させることができる。一方、筒状体１０を構成する後部１２は、前部１１よりも長尺であり、縦方向の引っ張り力に対する強度が強い布地を用いている。そのため、補整用衣類１を装着した状態で、身体を曲げた場合に、後部１２が縦方向に引っ張られたとしても、十分な強度を有する。
【００２２】
また、縫製部２０は、筒状体１０の左右の側部に形成されており、弾性を有するため、身体の曲げ伸ばしに追従して適度に湾曲することができる。また、縫製部２０は、身体の側部においてそれほど身体に密着はしないため、例えば、縫製部２０において布地の厚み寸法が増加しても、身体の曲げ伸ばしによって、縫製部２０が身体に押さえつけられることはない。さらに、縫製部２０は、布地の弾性よりも大きい弾性を有する樹脂が塗布された塗布部２２を有するため、長時間装着していても、筒状体１０の上辺１１ａ、１２ａ側又は下辺１１ｂ、１２ｂ側の端部が、捲れたり、丸まったりすることはない。そのため、補整用衣類１の長時間の装着や、装着した状態で身体の曲げ伸ばしを行っても、装着した状態を確実に維持することができる。
【００２３】
このとき、補整用衣類１の装着状態を維持するために、コイルやボーン等のような部材（補整杆）を用いないため、補整用衣類１から、筒状体１０を構成する布地の厚み方向に補整杆が突出することはない。そのため、補整用衣類１を装着した状態での体の曲げ伸ばしが容易であると共に、装着した状態の上から、衣服を着ても目立たない。これにより、補整用衣類１の装着の機会を増やすことができる。
【００２４】
なお、上記実施形態においては、補整用衣類１を、前部１１と後部１２の各布地を用いて、それぞれの周方向の端部同士を上端から下端にかけて、帯状部材２１と共に縫製することで、縫製部２０を有する筒状体１０を形成したが、これに限ることはなく、筒状体１０は、必ずしも縫製部２０及び帯状部材２１を有しなくてもよい。例えば、丸編みによって、縫製部を有しない布地によって形成される筒状体を用いて、補整用衣類を製造してもよい。このとき、筒状体の布地に、樹脂又はゴム材料を直接塗布することで、塗布部を形成する。また、塗布部は、筒状体の径方向の両端部の２箇所に形成することが好ましい。これによって、補整用衣類を装着した際に、塗布部を左右の脇腹に配置することができる。なお、塗布部は、２箇所に形成することに限ることはなく、１箇所であってもよく、３箇所以上に形成してもよい。
【００２５】
また、補整用衣類１は、略長方形の長尺の布地の長辺側の両端の端部同士を縫製することで、筒状体を形成してもよい。この場合には、縫製部２０が１箇所となる。このとき、帯状部材２１は必ずしも用いる必要はなく、布地の端部同士を突き合わせた状態、又は重ねた状態で上端から下端にかけて縫製することで形成してもよい。
【００２６】
さらに、縫製部２０は、布地にダーツやタック等によって縫製部を形成して、その縫製部に樹脂を塗布してもよい。例えば、長尺の布地を用いて筒状体を形成した際には、一方の脇腹に相当する位置において、布地の端部同士を帯状部材と共に縫製し、他方の脇腹に相当する位置においては、ダーツを形成して、ダーツを形成した領域に弾性を有する樹脂を塗布してもよい。このようにすることでも、縫製部に塗布部を形成することができるため、補整用衣類筒状体の上辺又は下辺が捲れることを確実に防止することができる。なお、塗布部２２は、左右の脇腹に相当する位置に形成することに限ることはない。
【００２７】
また、補整用衣類１を、長尺の布地を用いて、布地の長尺側の端部に、例えば面ファスナー等の係止手段を設けて、腹部に装着する際に、係止手段を係止することで、筒状体を形成してもよい。これによって、装着者の身体のサイズかかわらず、補整用衣類１を確実に装着することができる。なお、この場合には、補整用衣類１の装着時に、装着者の脇腹に相当する位置にダーツ等を形成して縫製部として、縫製部に弾性を有する樹脂又はゴム材料を塗布することで塗布部を形成してもよい。
【００２８】
以上述べてきたように、本考案の補整用衣類１は、伸縮性を有する布地により筒状体を形成し、腹部に装着することで腹部及び脇腹の周囲を支持する補整用衣類１であって、筒状体１０は、筒状体１０の上端から下端まで軸方向に延び、かつ筒状体を構成する布地の弾性よりも大きい弾性を有する樹脂又はゴム材料が塗布された塗布部２２を有することを特徴とする。これによって、塗布部２２に塗布された樹脂又はゴム材料によって、補整用衣類１を装着した状態であっても、筒状体１０の上辺１１ａ、１２ａ側又は下辺１１ｂ、１２ｂ側の端部が捲れることを防止することができる。また、別途補整杆やボーンを縫製によって取付ける必要がないため、容易に補整用衣類１を製造することができる。
【００２９】
以上、本考案の実施形態について説明したが、本考案は上述の実施形態に限定されるものではなく、本考案の要旨を逸脱しない範囲で種々の変更を加え得ることは勿論である。
【符号の説明】
【００３０】
１          補整用衣類
１０        筒状体
１１        前部（布地）
１２        後部（布地）
２０        縫製部
２２        塗布部
【図１】
0003192607.tif 000003
【図２】
0003192607.tif 000004
【図３】
0003192607.tif 000005
【図４】
0003192607.tif 000006